(57)【要約】【課題】エステル油の無駄を少なくして冷凍機にエステル油を充填するエステル油充填装置を提供する。【解決手段】エステル油充填装置は、エステル油が溜められた油缶の給油口から上記エステル油内に吸入口が入れられて上記エステル油を上記油缶の外側に導く第１の配管を備えるエステル油充填装置において、上記第１の配管が貫通するとともに上記給油口を密閉する栓と、上記栓を貫通し且つ上記エステル油の液面と上記油缶の上面との隙間に空気を導く第２の配管と、上記第２の配管に接続されるとともに通過する空気を乾燥するドライヤーと、を備える。【選択図】図１
2010065911.tif 000002
【特許請求の範囲】
【請求項１】
エステル油が溜められた油缶の給油口から上記エステル油内に吸入口が入れられて上記エステル油を上記油缶の外側に導く第１の配管を備えるエステル油充填装置において、
上記第１の配管が貫通するとともに上記給油口を密閉する栓と、
上記栓を貫通し且つ上記エステル油の液面と上記油缶の上面との隙間に空気を導く第２の配管と、
上記第２の配管に接続されるとともに通過する空気を乾燥するドライヤーと、
を備えることを特徴とするエステル油充填装置。
【発明の詳細な説明】
【技術分野】
【０００１】
この発明は、エステル油を冷凍機に充填するために用いられるエステル油充填装置に関するものである。
【背景技術】
【０００２】
従来の冷凍機油チャージングシリンダーは、冷凍機油を貯留するための密閉容器と、この密閉容器の頂部に設けられ且つ真空ポンプ接続用開閉バルブと加圧ガスボンベ接続用開閉バルブから構成された第１ポートと、この密閉容器底部に連なる配管、この配管の一方の先端に設けられたボールタップ及びこの配管の他方の先端に設けられた開閉バルブから構成された第２ポートと、この密閉容器内部のガス圧力を測定するためのゲージとを備える（例えば、特許文献１参照）。
加圧ガスボンベはチャージホースにより加圧ガスボンベ接続用開閉バルブに接続される。真空ポンプはチャージホースにより真空ポンプ接続用開閉バルブに接続される。油缶内の冷凍機油は第２ポートの開閉バルブに接続されたチャージホースを通過して密閉容器内に移送される。
【０００３】
この冷凍機油チャージングシリンダーを用いて冷凍機油を冷凍機に充填するとき、まず真空ポンプ接続用開閉バルブを開放した状態で真空ポンプを駆動して冷凍機油チャージングシリンダー内を真空引きする。真空引き後、第２ポートに接続された油缶内の冷凍機油を開閉バルブを開放した状態で真空ポンプを駆動して真空引きしながら冷凍機油を冷凍機油チャージングシリンダー内に吸引移送する。この移送工程完了後、第２ポートの開閉バルブを閉止し、冷凍機油チャージングシリンダー内をさらに真空引きし不純物を除去する。この不純物除去工程後、真空ポンプ接続用開閉バルブを閉止し、加圧ガスボンベ接続用開閉バルブを開放し冷凍機油チャージングシリンダー内に加圧ガスを封入して加圧後、加圧ガスボンベ接続用開閉バルブを閉止し保管を完了する。
冷凍機に冷凍機油を充填する場合、第２ポートのチャージホースを冷凍機に接続し冷凍機を真空引き後、第２ポートの開閉バルブを開放し冷凍機油を充填する。
【０００４】
【特許文献１】特開２００１−９１１１３号公報
【発明の開示】
【発明が解決しようとする課題】
【０００５】
しかし、上述の冷凍機油チャージングシリンダーを使用してエステル油を油缶から冷凍機に充填すると、冷凍機油チャージングシリンダーの密閉容器にエステル油を移送する間に空気と触れる時間が長くなり、使用できないエステル油の量が冷凍機油チャージングシリンダーを使用しない場合と同様に多く、材料利用率が悪いという問題がある。
【０００６】
この発明の目的は、エステル油の無駄を少なくして冷凍機にエステル油を充填するエステル油充填装置を提供することである。
【課題を解決するための手段】
【０００７】
この発明に係るエステル油充填装置は、エステル油が溜められた油缶の給油口から上記エステル油内に吸入口が入れられて上記エステル油を上記油缶の外側に導く第１の配管を備えるエステル油充填装置において、上記第１の配管が貫通するとともに上記給油口を密閉する栓と、上記栓を貫通し且つ上記エステル油の液面と上記油缶の上面との隙間に空気を導く第２の配管と、上記第２の配管に接続されるとともに通過する空気を乾燥するドライヤーと、を備える。
【発明の効果】
【０００８】
この発明に係るエステル油充填装置は、油缶の給油口が栓により密閉されるとともにドライヤーで乾燥された空気で油缶内のエステル油が減少した容積を置換するので、油缶内の圧力が大気圧に維持され、栓と給油口との間の密閉が維持されるとともに油缶内を満たす空気が乾燥している。そのため、エステル油が空気中の水分を吸湿して劣化することを防ぎ、使用できないエステル油の量を減少することができる。
【発明を実施するための最良の形態】
【０００９】
図１は、この発明を実施するための最良の形態のエステル油充填装置の構成図である。
この発明を実施するための最良の形態のエステル油充填装置１は、油缶１０の給油口１３を密閉するための栓３、栓３を厚さ方向に貫通する孔に挿入されるとともに油缶１０の内側に位置する一端が油缶１０の底の近くまで延び且つ油缶１０の外側に位置する部分が分岐する第１の配管としての透明な配管７、透明な配管７の分岐した一方の配管の端部に設けられるエステル油を吸引するためのポンプ機構２、透明な配管７の分岐した他の配管の途中に設けられた開閉バルブ９、栓３を厚さ方向に貫通する他の孔に挿入されるとともに油缶１０の内側に位置する一端が栓３の下面から少し飛びだした第２の配管としての配管５、配管５の油缶１０の外側に位置する一端に設けられる吸込み空気を乾燥させるためのドライヤー４を備える。
【００１０】
ドライヤー４には、シリカゲル、モレキュラシーブなど乾燥剤が充填されており、通過する空気中の水分子を吸着して空気を乾燥する。
配管５の油缶１０の内側に位置する端部を乾燥空気の吹き出し口５ａと称す。透明な配管７の油缶１０の内側に位置する端部をエステル油の吸入口７ａと称す。透明な配管７の油缶１０の外側に位置し途中に開閉バルブ９が設けられた他の配管の端部をチャージホース接続口８と称す。
エステル油１１が溜められた油缶１０は、エステル油１１を取り出すために給油口１３が設けられ、給油口１３には油缶１０内を密閉し得る蓋が嵌められている。また、油缶１０の隙間には乾燥した空気１２が充填されている。
【００１１】
次に、この発明に係るエステル油充填装置１を使用して油缶１０のエステル油１１を冷凍機１４に充填する手順を説明する。
先ず開閉バルブ９を閉止しておく。次に、油缶１０の給油口１３を閉じている蓋を外し、速やかにエステル油充填装置１の吸入口７ａを油缶１０の内部に入れて、図２に示すように、栓３を給油口１３に嵌合して栓３と給油口１３との間を密閉する。
次に、開閉バルブ９を開放し、ポンプ機構２を作動させエステル油１１を吸引し、図３に示すように、透明な配管７内の空気を追出す。
引き続きポンプ機構２を作動してチャージホース接続口８からある程度の量のエステル油１１を排出したら開閉バルブ９を閉止する。
【００１２】
チャージホース１５でチャージホース接続口８と冷凍機１４とを連通する。
冷凍機１４の冷媒回路は予め真空状態になるように真空引きされている。そして、冷凍機１４に接続されたチャージホース１５内の空気を冷媒回路側から真空引きすることにより真空状態にする。
チャージホース１５内が真空状態に達したら、図４に示すように、開閉バルブ９を開放し冷凍機１４へのエステル油１１の充填を開始する。
エステル油１１が減少するとエステル油１１が減少した容積だけドライヤー４を通過して乾燥した空気が吹き出し口５ａより供給され、油缶１０の内圧は大気圧を維持し、栓３と給油口１３との隙間からの空気の浸入を防止する。
エステル油１１の液面が吸入口７ａより下まで下がったら、透明な配管７の中の様子を確認しながら気泡が開閉バルブ９を通過する前に開閉バルブ９を閉止し充填完了する。
【００１３】
この発明では、油缶１０の給油口１３が栓３により密閉されるとともにドライヤー４で乾燥された空気で油缶１０内のエステル油１１が減少した容積を置換するので、油缶１０内の圧力が大気圧に維持され、栓３と給油口１３との間の密閉が維持されるとともに油缶１０内を満たす空気が乾燥している。そのため、エステル油１１が空気中の水分を吸湿して劣化することを防ぎ、使用できないエステル油１１の量を減少することができる。
【図面の簡単な説明】
【００１４】
【図１】この発明を実施するための最良の形態のエステル油充填装置の構成図である。
【図２】この発明に係るエステル油充填装置を油缶に取り付けた様子を示す図である。
【図３】この発明に係るエステル油充填装置の透明な配管内の空気をエステル油で置換する様子を示す図である。
【図４】油缶内から冷凍機にエステル油を充填する様子を示す図である。
【図５】油缶内から冷凍機にエステル油を充填し油缶内のエステル油が残り少ない様子を示す図である。
【符号の説明】
【００１５】
１  エステル油充填装置、２  ポンプ機構、３  栓、４  ドライヤー、５  配管、５ａ  吹き出し口、７  透明な配管、７ａ  吸入口、８  チャージホース接続口、９  開閉バルブ、１０  油缶、１１  エステル油、１２  空気、１３  給油口、１４  冷凍機、１５  チャージホース。
【図１】
2010065911.tif 000003
【図２】
2010065911.tif 000004
【図３】
2010065911.tif 000005
【図４】
2010065911.tif 000006
【図５】
2010065911.tif 000007